(57)【要約】【課題】各プロジェクタに投影情報を自動的に割り付けることが可能となるプロジェクタ及びプロジェクタシステムを提供する。【解決手段】各プロジェクタ１１〜１４のいずれかに、投影可能なファイルを含むフォルダやファイル等を記憶するＵＳＢメモリ２１を装着した場合には、このＵＳＢメモリ２１が装着されたプロジェクタのＣＰＵ４１は、自プロジェクタをメインプロジェクタに設定する。そして、メインプロジェクタのＣＰＵ４１は、他のプロジェクタに対してサブ設定通知を送信し、他の各プロジェクタのＣＰＵ４１は、自プロジェクタをサブプロジェクタに設定する（Ｓ１１〜Ｓ１５）。そして、メインプロジェクタのＣＰＵ４１は、自プロジェクタ及び他の各サブプロジェクタにＵＳＢメモリ２１に記憶されるルートディレクトリの投影可能なファイルを含むフォルダやファイル等を割り付ける（Ｓ１６）。【選択図】図３
2008310247.tif 000002
【特許請求の範囲】
【請求項１】
他のプロジェクタと通信可能な通信手段と、
複数の投影情報を保持している投影情報保持媒体から投影可能な投影情報を読み出す読取手段と、
前記読取手段を介して読み出した投影可能な投影情報を自プロジェクタ及び他のプロジェクタに前記通信手段を介して割り付ける割り付け手段と、
前記割り付け手段によって割り付けられた投影可能な投影情報を記憶する記憶手段と、
を備えたことを特徴とするプロジェクタ。
【請求項２】
請求項１に記載のプロジェクタを含む複数台のプロジェクタから構成されるプロジェクタシステムであって、
前記割り付け手段は、前記投影情報保持媒体に保持されるルートディレクトリの投影可能な投影情報を自プロジェクタ及び他のプロジェクタに均等に割り付けることを特徴とするプロジェクタシステム。
【請求項３】
請求項１に記載のプロジェクタを含む複数台のプロジェクタから構成されるプロジェクタシステムであって、
前記割り付け手段は、前記投影情報保持媒体に保持されるルートディレクトリの投影可能な投影情報を自プロジェクタ及び他のプロジェクタに該投影情報に付された拡張子別に割り付けることを特徴とするプロジェクタシステム。
【請求項４】
請求項１に記載のプロジェクタを含む複数台のプロジェクタから構成されるプロジェクタシステムであって、
前記割り付け手段は、前記投影情報保持媒体に保持されるルートディレクトリの投影可能な投影情報を自プロジェクタ及び他のプロジェクタに該投影情報に付された更新日時に基づいて割り付けることを特徴とするプロジェクタシステム。
【請求項５】
前記投影情報保持媒体に保持されるルートディレクトリの投影可能な投影情報は、投影可能なファイルを含むことを特徴とする請求項２乃至請求項４のいずれかに記載のプロジェクタシステム。
【請求項６】
前記投影情報保持媒体に保持されるルートディレクトリの投影可能な投影情報は、投影可能なファイルを持つフォルダを含み、
前記割り付け手段は、前記投影情報保持媒体に保持されるルートディレクトリの前記投影可能なファイルと前記フォルダとを異なるプロジェクタに割り付けることを特徴とする請求項５に記載のプロジェクタシステム。
【請求項７】
前記プロジェクタは、
前記読取手段に投影可能な投影情報を保持する前記投影情報保持媒体が装着された
場合には、自プロジェクタをメインプロジェクタとして設定するメインプロジェクタ    設定手段と、
自プロジェクタがメインプロジェクタに設定された場合には、前記通信手段を介し
て他のプロジェクタに対してサブプロジェクタとして設定するように指示するサブプ    ロジェクタ設定指示を送信するサブ設定指示手段と、
前記サブプロジェクタ設定指示を前記通信手段を介して受信した場合には、自プロ
ジェクタをサブプロジェクタとして設定するサブプロジェクタ設定手段と、
を備えたことを特徴とする請求項２乃至請求項６のいずれかに記載のプロジェクタシステム。
【請求項８】
前記プロジェクタは、
投影可能なファイルの切り替えあるいは複数画面から構成される投影可能なファイ
ルにおける画面切り替えを指示する切替指示を受信する切替受信手段と、
前記メインプロジェクタに設定され、且つ、前記切替受信手段を介して切替指示を
受信した場合には、前記通信手段を介して前記サブプロジェクタに対して投影可能な    ファイルの切り替えを指示するサブ切替指示を送信するサブ切替指示手段と、
前記サブ切替指示を送信又は受信した場合には、自プロジェクタの投影可能なファ
イルの切り替えを行うファイル切替手段と、
を備えたことを特徴とする請求項７に記載のプロジェクタシステム。
【請求項９】
前記サブプロジェクタ設定手段は、自プロジェクタがメインプロジェクタに設定されていても、前記サブプロジェクタ設定指示を前記通信手段を介して受信した場合には、自プロジェクタをサブプロジェクタとして設定することを特徴とする請求項７又は請求項８に記載のプロジェクタシステム。
【請求項１０】
前記プロジェクタは、前記割り付け手段によって投影可能な投影情報を割り付けられた場合には、前記記憶手段に既に記憶している投影可能な投影情報に追加して記憶するように制御する記憶制御手段を備えたことを特徴とする請求項９に記載のプロジェクタシステム。
【請求項１１】
前記プロジェクタは、
自プロジェクタがメインプロジェクタに設定された状態で前記通信手段を介して前
記サブプロジェクタ設定指示を受信した場合には、前記記憶手段に投影可能な投影情    報が記憶されているか否かを判定する投影情報判定手段と、
前記投影情報判定手段を介して前記記憶手段に投影可能な投影情報が記憶されてい
ると判定した場合には、自プロジェクタをサブプロジェクタに設定することを拒否す    る拒否通知を新たなメインプロジェクタに設定された他のプロジェクタに対して前記    通信手段を介して通知する拒否通知手段と、
前記投影情報判定手段を介して前記記憶手段に投影可能な投影情報が記憶されてい
ないと判定した場合には、前記サブプロジェクタ設定手段を介して自プロジェクタを    サブプロジェクタに設定する設定変更手段と、
を備えたことを特徴とする請求項７又は請求項８に記載のプロジェクタシステム。
【請求項１２】
前記プロジェクタは、自プロジェクタがメインプロジェクタに設定された状態で前記通信手段を介して前記サブプロジェクタ設定指示を受信した場合には、自プロジェクタをサブプロジェクタに設定することを拒否する拒否通知を新たなメインプロジェクタに設定された他のプロジェクタに対して前記通信手段を介して通知する拒否通知手段を備えたことを特徴とする請求項７又は請求項８に記載のプロジェクタシステム。
【請求項１３】
前記プロジェクタは、前記通信手段を介して前記拒否通知を受信した場合には、前記割り付け手段を介して該拒否通知を通知したプロジェクタを除いた他のプロジェクタ及び自プロジェクタに前記読取手段を介して読み出した投影可能な投影情報を割り付けるように制御する割り付け制御手段を備えたことを特徴とする請求項１１又は請求項１２に記載のプロジェクタシステム。
【請求項１４】
前記プロジェクタは、前記割り付け制御手段によって投影可能な投影情報を割り付けられた場合には、前記記憶手段に既に記憶している投影可能な投影情報に追加して記憶するように制御する記憶制御手段を備えたことを特徴とする請求項１３に記載のプロジェクタシステム。
【発明の詳細な説明】
【技術分野】
【０００１】
本発明は、プロジェクタ及び複数台のプロジェクタから構成されるプロジェクタシステムに関するものである。
【背景技術】
【０００２】
従来より、プロジェクタ及び複数台のプロジェクタから構成されるプロジェクタシステムが種々提案されている。
例えば、画像ソース（パーソナルコンピュータ）から複数台のプロジェクタに画像信号が供給され、コントローラ（パーソナルコンピュータ）からメインプロジェクタへコマンドを送ることによって、全プロジェクタの画像を切り替えるように構成されたプロジェクタシステムがある（例えば、特許文献１参照。）。
【特許文献１】特開２０００−３３８９４１号公報（段落（００２１）〜（００８７）、図１〜図６）
【発明の開示】
【発明が解決しようとする課題】
【０００３】
しかしながら、上述した特許文献１に記載される構成では、画像ソース（パーソナルコンピュータ）において、ユーザは、各プロジェクタの画像を一つ一つ設定しなければならず、手間がかかるという問題がある。
【０００４】
そこで、本発明は、上述した問題点を解決するためになされたものであり、各プロジェクタに投影情報を自動的に割り付けることが可能となり、ユーザが設定する手間を省くことが可能となるプロジェクタ及びプロジェクタシステムを提供する。
【課題を解決するための手段】
【０００５】
前記目的を達成するため請求項１に係るプロジェクタは、複数台のプロジェクタから構成されるプロジェクタシステムであって、前記プロジェクタは、他のプロジェクタと通信可能な通信手段と、複数の投影情報を保持している投影情報保持媒体から投影可能な投影情報を読み出す読取手段と、前記読取手段を介して読み出した投影可能な投影情報を自プロジェクタ及び他のプロジェクタに前記通信手段を介して割り付ける割り付け手段と、前記割り付け手段によって割り付けられた投影可能な投影情報を記憶する記憶手段と、を備えたことを特徴とする。
【０００６】
また、請求項２に係るプロジェクタシステムは、請求項１に記載のプロジェクタを含む複数台のプロジェクタから構成されるプロジェクタシステムであって、前記割り付け手段は、前記投影情報保持媒体に保持されるルートディレクトリの投影可能な投影情報を自プロジェクタ及び他のプロジェクタに均等に割り付けることを特徴とする。
【０００７】
また、請求項３に係るプロジェクタシステムは、請求項１に記載のプロジェクタを含む複数台のプロジェクタから構成されるプロジェクタシステムであって、前記割り付け手段は、前記投影情報保持媒体に保持されるルートディレクトリの投影可能な投影情報を自プロジェクタ及び他のプロジェクタに該投影情報に付された拡張子別に割り付けることを特徴とする。
【０００８】
また、請求項４に係るプロジェクタシステムは、請求項１に記載のプロジェクタを含む複数台のプロジェクタから構成されるプロジェクタシステムであって、前記割り付け手段は、前記投影情報保持媒体に保持されるルートディレクトリの投影可能な投影情報を自プロジェクタ及び他のプロジェクタに該投影情報に付された更新日時に基づいて割り付けることを特徴とする。
【０００９】
また、請求項５に係るプロジェクタシステムは、請求項２乃至請求項４のいずれかに記載のプロジェクタシステムにおいて、前記投影情報保持媒体に保持されるルートディレクトリの投影可能な投影情報は、投影可能なファイルを含むことを特徴とする。
【００１０】
また、請求項６に係るプロジェクタシステムは、請求項５に記載のプロジェクタシステムにおいて、前記投影情報保持媒体に保持されるルートディレクトリの投影可能な投影情報は、投影可能なファイルを持つフォルダを含み、前記割り付け手段は、前記投影情報保持媒体に保持されるルートディレクトリの前記投影可能なファイルと前記フォルダとを異なるプロジェクタに割り付けることを特徴とする。
【００１１】
また、請求項７に係るプロジェクタシステムは、請求項２乃至請求項６のいずれかに記載のプロジェクタシステムにおいて、前記プロジェクタは、前記読取手段に投影可能な投影情報を保持する前記投影情報保持媒体が装着された場合には、自プロジェクタをメインプロジェクタとして設定するメインプロジェクタ設定手段と、自プロジェクタがメインプロジェクタに設定された場合には、前記通信手段を介して他のプロジェクタに対してサブプロジェクタとして設定するように指示するサブプロジェクタ設定指示を送信するサブ設定指示手段と、前記サブプロジェクタ設定指示を前記通信手段を介して受信した場合には、自プロジェクタをサブプロジェクタとして設定するサブプロジェクタ設定手段と、を備えたことを特徴とする。
【００１２】
また、請求項８に係るプロジェクタシステムは、請求項７に記載のプロジェクタシステムにおいて、前記プロジェクタは、投影可能なファイルの切り替えあるいは複数画面から構成される投影可能なファイルにおける画面切り替えを指示する切替指示を受信する切替受信手段と、前記メインプロジェクタに設定され、且つ、前記切替受信手段を介して切替指示を受信した場合には、前記通信手段を介して前記サブプロジェクタに対して投影可能なファイルの切り替えを指示するサブ切替指示を送信するサブ切替指示手段と、前記サブ切替指示を送信又は受信した場合には、自プロジェクタの投影可能なファイルの切り替えを行うファイル切替手段と、を備えたことを特徴とする。
【００１３】
また、請求項９に係るプロジェクタシステムは、請求項７又は請求項８に記載のプロジェクタシステムにおいて、前記サブプロジェクタ設定手段は、自プロジェクタがメインプロジェクタに設定されていても、前記サブプロジェクタ設定指示を前記通信手段を介して受信した場合には、自プロジェクタをサブプロジェクタとして設定することを特徴とする。
【００１４】
また、請求項１０に係るプロジェクタシステムは、請求項９に記載のプロジェクタシステムにおいて、前記プロジェクタは、前記割り付け手段によって投影可能な投影情報を割り付けられた場合には、前記記憶手段に既に記憶している投影可能な投影情報に追加して記憶するように制御する記憶制御手段を備えたことを特徴とする。
【００１５】
また、請求項１１に係るプロジェクタシステムは、請求項７又は請求項８に記載のプロジェクタシステムにおいて、前記プロジェクタは、自プロジェクタがメインプロジェクタに設定された状態で前記通信手段を介して前記サブプロジェクタ設定指示を受信した場合には、前記記憶手段に投影可能な投影情報が記憶されているか否かを判定する投影情報判定手段と、前記投影情報判定手段を介して前記記憶手段に投影可能な投影情報が記憶されていると判定した場合には、自プロジェクタをサブプロジェクタに設定することを拒否する拒否通知を新たなメインプロジェクタに設定された他のプロジェクタに対して前記通信手段を介して通知する拒否通知手段と、前記投影情報判定手段を介して前記記憶手段に投影可能な投影情報が記憶されていないと判定した場合には、前記サブプロジェクタ設定手段を介して自プロジェクタをサブプロジェクタに設定する設定変更手段と、を備えたことを特徴とする。
【００１６】
また、請求項１２に係るプロジェクタシステムは、請求項７又は請求項８に記載のプロジェクタシステムにおいて、前記プロジェクタは、自プロジェクタがメインプロジェクタに設定された状態で前記通信手段を介して前記サブプロジェクタ設定指示を受信した場合には、自プロジェクタをサブプロジェクタに設定することを拒否する拒否通知を新たなメインプロジェクタに設定された他のプロジェクタに対して前記通信手段を介して通知する拒否通知手段を備えたことを特徴とする。
【００１７】
また、請求項１３に係るプロジェクタシステムは、請求項１１又は請求項１２に記載のプロジェクタシステムにおいて、前記プロジェクタは、前記通信手段を介して前記拒否通知を受信した場合には、前記割り付け手段を介して該拒否通知を通知したプロジェクタを除いた他のプロジェクタ及び自プロジェクタに前記読取手段を介して読み出した投影可能な投影情報を割り付けるように制御する割り付け制御手段を備えたことを特徴とする。
【００１８】
更に、請求項１４に係るプロジェクタシステムは、請求項１３に記載のプロジェクタシステムにおいて、前記プロジェクタは、前記割り付け制御手段によって投影可能な投影情報を割り付けられた場合には、前記記憶手段に既に記憶している投影可能な投影情報に追加して記憶するように制御する記憶制御手段を備えたことを特徴とする。
【発明の効果】
【００１９】
請求項１に係るプロジェクタでは、投影可能な投影情報を保持する投影情報保持媒体をプロジェクタに装着することによって、自プロジェクタ及び他のプロジェクタに投影可能な投影情報が自動的に割り付けられ、この割り付けられた投影情報が各プロジェクタに記憶される。
【００２０】
これにより、いずれかのプロジェクタに投影可能な投影情報を保持する投影情報保持媒体を装着するだけで、各プロジェクタに投影情報を自動的に割り付けることが可能となり、ユーザが設定する手間を省くことが可能となる。また、投影可能な投影情報を各プロジェクタに供給するパーソナルコンピュータ等を設ける必要がないため、省スペース化及び維持コストの削減化を図ることが可能となる。
尚、投影情報保持媒体は、例えば、ＵＳＢメモリ、ＳＤメモリカード等の携帯型記憶媒体や、ネットワーク等によって接続される記憶媒体等である。
【００２１】
また、請求項２に係るプロジェクタシステムでは、投影情報保持媒体に保持されるルートディレクトリの投影可能な投影情報を自プロジェクタ及び他のプロジェクタに均等に割り付けるため、割り付け処理が簡単になり、割り付け処理の迅速化を図ることが可能となる。
【００２２】
また、請求項３に係るプロジェクタシステムでは、投影情報保持媒体に保持されるルートディレクトリの投影可能な投影情報を自プロジェクタ及び他のプロジェクタに該投影情報に付された拡張子別（例えば、.xls、.bmp、.jpg、.doc等である。）に割り付けるため、割り付け処理が簡単になり、割り付け処理の迅速化を図ることが可能となる。また、投影情報を風景画、表やグラフ、テキスト情報等に区分けして投影することが可能となり、更に見やすい映像を提供することが可能となる。
【００２３】
また、請求項４に係るプロジェクタシステムでは、投影情報保持媒体に保持されるルートディレクトリの投影可能な投影情報を自プロジェクタ及び他のプロジェクタに該投影情報に付された更新日時に基づいて割り付けるため、割り付け処理が簡単になり、割り付け処理の迅速化を図ることが可能となる。また、投影情報を更新日時順に並べて表示することが可能となり、時間的に変化する画像等を同期させて投影することが可能となる。
【００２４】
また、請求項５に係るプロジェクタシステムでは、投影情報保持媒体に保持されるルートディレクトリの投影可能な投影情報は、投影可能なファイルを含むため、各プロジェクタはファイル毎に切り換えて投影することが可能となる。
【００２５】
また、請求項６に係るプロジェクタシステムでは、投影情報保持媒体に保持されるルートディレクトリの投影可能なファイルと、ファイルを持つフォルダとを異なるプロジェクタに割り付けるため、フォルダを割り付けられたプロジェクタは、そのフォルダ内のファイルを自動的に順次投影することが可能となる。
【００２６】
また、請求項７に係るプロジェクタシステムでは、投影可能な投影情報を保持する投影情報保持媒体をプロジェクタに装着するだけで、メインプロジェクタと各サブプロジェクタを自動的に設定することが可能となり、ユーザが設定する手間を省くことが可能となる。また、投影情報保持媒体を装着したプロジェクタがメインプロジェクタに自動的に設定され、他のプロジェクタがサブプロジェクタに自動的に設定されるため、ユーザはメインプロジェクタを容易に識別することが可能となる。
【００２７】
また、請求項８に係るプロジェクタシステムでは、ユーザはメインプロジェクタに対して投影可能なファイルの切り替えを指示する切替指示を送信することによって、メインプロジェクタと各サブプロジェクタの投影可能なファイルの切り替えを同期させて行うことが可能となる。
【００２８】
また、請求項９に係るプロジェクタシステムでは、最後に投影情報保持媒体が装着されたプロジェクタを優先的にメインプロジェクタに設定し、他のプロジェクタをサブプロジェクタに設定することが可能となる。
【００２９】
また、請求項１０に係るプロジェクタシステムでは、各プロジェクタは、投影可能な投影情報を割り付けられた場合には、記憶手段に既に記憶している投影可能な投影情報に追加して記憶するため、各投影情報保持媒体に保持される投影可能な投影情報をプロジェクタに装着された順に切り替えて連続投影することが可能となる。
【００３０】
また、請求項１１に係るプロジェクタシステムでは、投影可能な投影情報を保持する投影情報保持媒体が装着されたメインプロジェクタが投影情報を投影中に、投影可能な投影情報を保持する投影情報保持媒体を他のプロジェクタに装着した場合には、ユーザは各投影情報保持媒体を装着したプロジェクタが、それぞれメインプロジェクタに設定されていることを容易に識別することが可能となる。
【００３１】
また、投影可能な投影情報を保持する投影情報保持媒体が装着されたメインプロジェクタが投影情報の投影を終了した後に、投影情報保持媒体を他のプロジェクタに装着した場合には、ユーザは後から投影情報保持媒体を装着したプロジェクタだけが、メインプロジェクタに設定されていることを容易に識別することが可能となる。
【００３２】
また、請求項１２に係るプロジェクタシステムでは、投影可能な投影情報を保持する投影情報保持媒体がメインプロジェクタに装着された状態で、投影可能な投影情報を保持する投影情報保持媒体をサブプロジェクタに装着した場合には、ユーザは各投影情報保持媒体を装着したプロジェクタが、それぞれメインプロジェクタに設定されていることを容易に識別することが可能となる。
【００３３】
また、請求項１３に係るプロジェクタシステムでは、拒否通知を通知したプロジェクタを除いた各プロジェクタに、後から装着された投影情報保持媒体に保持される投影可能な投影情報を自動的に割り付けることが可能となり、ユーザが設定する手間を省くことが可能となる。
【００３４】
更に、請求項１４に係るプロジェクタシステムでは、拒否通知を通知したプロジェクタを除いた各プロジェクタは、投影可能な投影情報を割り付けられた場合には、記憶手段に既に記憶している投影可能な投影情報に追加して記憶するため、拒否通知を通知したプロジェクタを除いた各プロジェクタに記憶される投影可能な投影情報を順に切り替えて連続投影することが可能となる。
【発明を実施するための最良の形態】
【００３５】
以下、本発明に係るプロジェクタシステムについて具体化した一実施例に基づき図面を参照しつつ詳細に説明する。
【実施例】
【００３６】
［プロジェクタシステムの概略構成］
先ず、本実施例に係るプロジェクタシステム１の概略構成について図１に基づき説明する。図１は本実施例に係るプロジェクタシステム１の概略構成を示す図である。
図１に示すように、プロジェクタシステム１は、４台の各プロジェクタ１１、１２、１３、１４から構成されている。尚、図１に示す構成は一例であり図示の構成に限定されるものではない。
【００３７】
また、各プロジェクタ１１〜１４は、後述の通信インタフェース４４（図２参照）を介して無線通信や赤外線通信等により相互に通信可能に構成されている。また、各プロジェクタ１１〜１４のうち、プロジェクタ１１の背面部には、投影情報保持媒体の一例としての投影情報を保持する、即ちフラッシュメモリを搭載したＵＳＢメモリ２１が装着され、当該プロジェクタ１１は後述のようにメインプロジェクタに設定されている（図３参照）。
【００３８】
そして、各プロジェクタ１１〜１４は、メインプロジェクタ１１からの指示により、スクリーン１８に各画像１１Ａ〜１４Ａを並列投射する。また、後述のように、ユーザは、リモコン２５の各切替ボタン２５Ａ、２５Ｂや終了ボタン２５Ｃを押下して、メインプロジェクタ１１に対して投影画像の切替信号や投影終了信号を赤外線等によって送信することによって、各プロジェクタ１１〜１４の投影画像の切り替えや投影停止を行うことができるように構成されている（図３参照）。
【００３９】
［プロジェクタの回路構成］
次に、各プロジェクタ１１〜１４の回路構成について図２に基づいて説明する。尚、各プロジェクタ１１〜１４の回路構成はほぼ同じため、プロジェクタ１１の回路構成について説明する。図２はプロジェクタ１１の要部の回路構成を示す回路ブロック図である。
図２に示すように、プロジェクタ１１は、ＣＰＵ４１、ＲＡＭ４２、ＲＯＭやＥＥＰＲＯＭ等で構成される不揮発性メモリ４３、通信インタフェース４４、操作パネル４５、読取部４６、赤外受光部４７、赤外線制御部４８、ランプ制御回路部５０、ランプ５１、照明光学系５２、光変調素子５３、結像光学系５４、画像処理回路部５５、光変調素子ドライブ回路５６等を備えている。
【００４０】
また、ＣＰＵ４１、ＲＡＭ４２、ＲＯＭやＥＥＰＲＯＭ等で構成される不揮発性メモリ４３、通信インタフェース４４、操作パネル４５、読取部４６、赤外線制御部４８、ランプ制御回路部５０、画像処理回路部５５は、バス線５８により相互に接続されて、相互にデータのやり取りが行われる。また、ランプ制御回路部５０にはランプ５１が接続されている。また、画像処理回路部５５には光変調素子５３を駆動制御する光変調素子ドライブ回路５６が接続されている。
【００４１】
また、ＣＰＵ４１は、プロジェクタ１１全体を制御し、プロジェクタ１１の動作に関する全てのデータを管理する。また、ＲＡＭ４２は、ＣＰＵ４１が種々の制御を実行する際に、各種データを一時的に記憶するものであり、後述のように投影情報として割り付けられたファイルやフォルダ等を記憶する。また、不揮発性メモリ４３には、電源投入時にＣＰＵ４１を起動させるための起動プログラムや、後述の「複数画像投影処理１」（図３参照）や「複数画像投影処理２」（図１２参照）等の制御プログラムが格納されている。
【００４２】
また、通信インターフェース４４は、有線通信、無線通信や赤外線通信等により他のプロジェクタと双方向データ通信が可能になっている。また、操作パネル４５は、電源キー、投射開始キー、投射停止キー、ズームアップ／ダウンキー等から構成されている。また、読取部４６は、ＵＳＢメモリ２１が装着可能に構成され、該ＵＳＢメモリ２１に格納される投影情報としてのファイルやフォルダを読み出し可能に構成されている。尚、読取部２１には、ＵＳＢメモリ２１に限らず、ＳＤメモリカード等の携帯型記憶媒体も装着可能に構成され、ＳＤメモリカード等に格納される投影情報としてのファイルやフォルダを読み出し可能に構成されている。更に、読取部２１には、ハードディスク等のネットワーク上に設置された記憶装置も接続可能に構成され、このネットワーク上の記憶装置に記憶される投影情報としてのファイルやフォルダも読み出し可能に構成されている。
【００４３】
また、赤外受光部４７は、リモコン２５から送信される赤外線信号を受信して電気信号に変換し、赤外線制御部４８に出力する。そして、赤外線制御部４８は、赤外受光部４７から入力された電気信号を復調して、リモコン２５からの指示をＣＰＵ４１に出力可能に構成されている。
また、ランプ制御回路部５０は、操作パネル４５から入力されたＯＮ／ＯＦＦ信号に基づいて超高圧水銀ランプ等で構成される光源としてのランプ５１をＯＮ／ＯＦＦさせると共に、ランプ５１の点灯に必要な電圧や電力を供給する。
【００４４】
また、画像処理回路部５５は、ＲＡＭ４２に記憶される投影情報としてのファイルやファイルを含むフォルダの画像データを所定フォーマットの映像信号に変換して光変調素子ドライブ回路５６に出力する。そして、光変調素子ドライブ回路５６は、画像処理回路部５５から入力された映像信号に基づいて、透過型ＬＣＤ（LiquidCrystal Display）等で構成される光変調素子５３を駆動制御して、ランプ５１及びライトトンネルやレンズ等から構成される照明光学系５２を経て入射された光を変調し、投射されるべき画像を生成する。そして、光変調素子５３によって変調された光は、絞りや投射用レンズ等から構成される結像光学系５４によって拡大されてスクリーン１８に対して所定サイズで投射される。
【００４５】
［複数画像投影処理１］
次に、上記のように構成された各プロジェクタ１１〜１４が起動された後、いずれかにＵＳＢメモリ２１が装着された場合に、各プロジェクタ１１〜１４のＣＰＵ４１が、それぞれ割り付けられた画像データをスクリーン１８に投影する「複数画像投影処理１」について図３乃至図１１に基づいて説明する。
【００４６】
図３は各プロジェクタ１１〜１４のうちのいずれかにＵＳＢメモリ２１が装着された場合に、各プロジェクタ１１〜１４のＣＰＵ４１が、それぞれ割り付けられた画像データをスクリーン１８に投影する「複数画像投影処理１」を示すメインフローチャートである。図４は図３の「割り付け処理」のサブ処理を示すサブフローチャートである。図５は図４の「ファイル割り付け処理」のサブ処理を示すサブフローチャートである。図６は図４の「フォルダ割り付け処理１」のサブ処理を示すサブフローチャートである。図７は図４の「フォルダ割り付け処理２」のサブ処理を示すサブフローチャートである。図８は「ファイル割り付け処理」によって割り付けられた各プロジェクタ１１〜１４が格納する画像データの一例を示す図である。図９は「フォルダ割り付け処理１」によって割り付けられた各プロジェクタ１１〜１４が格納する画像データの一例を示す図である。図１０は「フォルダ割り付け処理２」によって割り付けられた各プロジェクタ１１〜１４が格納する画像データの一例を示す図である。図１１は図３の「投影処理」のサブ処理を示すサブフローチャートである。
【００４７】
［複数画像投影処理１］
図３に示すように、先ず、ステップ（以下、Ｓと略記する）１１において、各プロジェクタ１１〜１４のＣＰＵ４１は、読取部４６に投影可能なファイルを含むフォルダやファイル等を記憶するＵＳＢメモリ２１が挿入されたか否か、即ち、読取部４６にＵＳＢメモリ２１が装着されたか否かを判定する判定処理を実行する。
【００４８】
そして、読取部４６に投影可能なファイルを含むフォルダやファイル等を記憶するＵＳＢメモリ２１が装着された場合には（Ｓ１１：ＹＥＳ）、ＣＰＵ４１は、Ｓ１２の処理に移行する。Ｓ１２において、ＣＰＵ４１は、ＲＡＭ４２からメインプロジェクタフラグを読み出してＯＮに設定後、再度ＲＡＭ４２に記憶して、自プロジェクタをメインプロジェクタに設定する。
尚、各プロジェクタ１１〜１４の起動時には、メインプロジェクタフラグはＯＦＦに設定されてＲＡＭ４２に記憶されている。
【００４９】
続いて、Ｓ１３において、ＣＰＵ４１は、通信インタフェース４４を介して他のプロジェクタに対してサブプロジェクタに設定するように指示するサブ設定通知を送信後、後述のＳ１６の処理に移行する。
【００５０】
一方、Ｓ１１で読取部４６に投影可能なファイルを含むフォルダやファイル等を記憶するＵＳＢメモリ２１が装着されていない場合には（Ｓ１１：ＮＯ）、ＣＰＵ４１は、Ｓ１４の処理に移行する。Ｓ１４において、ＣＰＵ４１は、通信インターフェース４４を介して、サブプロジェクタに設定するように指示するサブ設定通知を受信したか否かを判定する判定処理を実行する。
そして、サブプロジェクタに設定するように指示するサブ設定通知を受信していない場合には（Ｓ１４：ＮＯ）、ＣＰＵ４１は、再度Ｓ１１以降の処理を実行する。
【００５１】
また一方、サブプロジェクタに設定するように指示するサブ設定通知を受信した場合には（Ｓ１４：ＹＥＳ）、ＣＰＵ４１は、Ｓ１５の処理に移行する。Ｓ１５において、ＣＰＵ４１は、ＲＡＭ４２からメインプロジェクタフラグを読み出してＯＦＦに設定後、再度ＲＡＭ４２に記憶して、自プロジェクタをサブプロジェクタに設定後、Ｓ１６の処理に移行する。
【００５２】
そして、Ｓ１６において、ＣＰＵ４１は、後述の「割り付け処理」のサブ処理（図４参照）を実行する。
その後、Ｓ１７において、ＣＰＵ４１は、後述の「投影処理」のサブ処理（図１１参照）を実行後、当該処理を終了する。
【００５３】
［割り付け処理］
次に、上記Ｓ１６で各プロジェクタ１１〜１４のＣＰＵ４１が実行する「割り付け処理」のサブ処理について図４乃至図１０に基づいて説明する。
【００５４】
図４に示すように、先ず、Ｓ１１１において、各プロジェクタ１１〜１４のＣＰＵ４１は、ＲＡＭ４２からメインプロジェクタフラグを読み出し、ＯＮに設定されているか否か、即ち、自プロジェクタがメインプロジェクタに設定されているか否かを判定する判定処理を実行する。
そして、メインプロジェクタフラグがＯＦＦに設定されている場合、即ち、自プロジェクタがサブプロジェクタに設定されている場合には（Ｓ１１１：ＮＯ）、ＣＰＵ４１は、当該サブ処理を終了して、メインフローチャートに戻る。
【００５５】
一方、メインプロジェクタフラグがＯＮに設定されている場合、即ち、自プロジェクタがメインプロジェクタに設定されている場合には（Ｓ１１１：ＹＥＳ）、ＣＰＵ４１は、Ｓ１１２の処理に移行する。Ｓ１１２において、ＣＰＵ４１は、ＲＡＭ４２から割り付けフラグを読み出し、ＯＮに設定されているか否か、即ち、装着されたＵＳＢメモリ２１に記憶されている投影可能なファイルを含むフォルダや投影可能なファイル等の割り付け設定が終了しているか否かを判定する判定処理を実行する。尚、各プロジェクタ１１〜１４の起動時には、割り付けフラグはＯＦＦに設定されてＲＡＭ４２に記憶されている。
【００５６】
そして、割り付けフラグがＯＮに設定されている場合、即ち、装着されたＵＳＢメモリ２１に記憶されている投影可能なファイルを含むフォルダや投影可能なファイル等の割り付け設定が終了している場合には（Ｓ１１２：ＹＥＳ）、ＣＰＵ４１は、当該サブ処理を終了して、メインフローチャートに戻る。
一方、割り付けフラグがＯＦＦに設定されている場合、即ち、装着されたＵＳＢメモリ２１に記憶されている投影可能なファイルを含むフォルダや投影可能なファイル等の割り付け設定が終了していない場合には（Ｓ１１２：ＮＯ）、ＣＰＵ４１は、Ｓ１１３の処理に移行する。
【００５７】
Ｓ１１３において、ＣＰＵ４１は、各プロジェクタ１１〜１４の不揮発性メモリ４３に予め格納されている当該各プロジェクタ１１〜１４を識別するプロジェクタ識別ＩＤ（例えば、各プロジェクタ１１〜１４のプロジェクタ識別ＩＤは、順番にＰ１、Ｐ２、Ｐ３、Ｐ４である。）を他のプロジェクタに対して自プロジェクタへ送信するように指示する送信通知を通信インターフェース４４を介して送信する。そして、ＣＰＵ４１は、他のプロジェクタから送信されたプロジェクタ識別ＩＤを順次ＲＡＭ４２に記憶すると共に、受信したプロジェクタ識別ＩＤの個数をカウント後、このカウント値に「１」加算して、プロジェクタシステム１を構成するプロジェクタ台数として代数Ｎに代入して（例えば、Ｎ＝４である。）、ＲＡＭ４２に記憶する。
尚、代数Ｎは、各プロジェクタ１１〜１４の起動時には、「０」が代入されてＲＡＭ４２に記憶されている。
【００５８】
そして、Ｓ１１４において、ＣＰＵ４１は、ＵＳＢ２１に保持されている、即ち、記憶されている投影可能なファイル数をカウント後、このカウント値をＵＳＢ２１に記憶されている投影可能なファイル数として代数Ｍに代入してＲＡＭ４２に記憶する。
また、Ｓ１１５において、ＣＰＵ４１は、ＵＳＢ２１に保持されている、即ち、記憶されている投影可能なファイルを含むフォルダ数をカウント後、このカウント値をＵＳＢ２１に記憶されている投影可能なファイルを含むフォルダ数として代数Ｆに代入してＲＡＭ４２に記憶する。
尚、各代数Ｍ、Ｆは、各プロジェクタ１１〜１４の起動時には、「０」が代入されてＲＡＭ４２に記憶されている。
【００５９】
続いて、Ｓ１１６において、ＣＰＵ４１は、投影可能なファイルを含むフォルダ数を表す代数ＦをＲＡＭ４２から読み出し、代数Ｆが「０」か否か、即ち、投影可能なファイルを含むフォルダがＵＳＢメモリ２１に記憶されていないか否かを判定する判定処理を実行する。
そして、代数Ｆが「０」の場合、即ち、投影可能なファイルを含むフォルダがＵＳＢメモリ２１に記憶されていない場合、即ち、投影可能なファイルだけがＵＳＢメモリ２１に記憶されている場合には（Ｓ１１６：ＹＥＳ）、ＣＰＵ４１は、Ｓ１１７の処理に移行する。Ｓ１１７において、ＣＰＵ４１は、後述の「ファイル割り付け処理」のサブ処理（図５参照）を実行後、Ｓ１２１の処理に移行する。
【００６０】
一方、代数Ｆが「０」でない場合、即ち、投影可能なファイルを含むフォルダがＵＳＢメモリ２１に記憶されている場合には（Ｓ１１６：ＮＯ）、ＣＰＵ４１は、Ｓ１１８の処理に移行する。Ｓ１１８において、ＣＰＵ４１は、代数Ｆと代数ＮとをＲＡＭ４２から読み出し、この代数Ｆが代数Ｎより少ないか否か、即ち、投影可能なファイルを含むフォルダ数がプロジェクタ台数より少ないか否かを判定する判定処理を実行する。
【００６１】
そして、代数Ｆが代数Ｎより少ない場合、即ち、投影可能なファイルを含むフォルダ数がプロジェクタ台数より少ない場合には（Ｓ１１８：ＹＥＳ）、ＣＰＵ４１は、Ｓ１１９の処理に移行する。Ｓ１１９において、ＣＰＵ４１は、後述の「フォルダ割り付け処理１」のサブ処理（図６参照）を実行後、Ｓ１２１の処理に移行する。
また一方、代数Ｆが代数Ｎ以上の場合、即ち、投影可能なファイルを含むフォルダ数がプロジェクタ台数以上の場合には（Ｓ１１８：ＮＯ）、ＣＰＵ４１は、Ｓ１２０の処理に移行する。Ｓ１２０において、ＣＰＵ４１は、後述の「フォルダ割り付け処理２」のサブ処理（図７参照）を実行後、Ｓ１２１の処理に移行する。
【００６２】
続いて、Ｓ１２１において、ＣＰＵ４１は、投影可能なファイルやフォルダを自プロジェクタ及び他のサブプロジェクタのそれぞれに割り付けた割り付け設定をＲＡＭ４２に記憶する。また、ＣＰＵ４１は、ＲＡＭ４２から割り付けフラグを読み出し、この割り付けフラグをＯＮに設定して、再度ＲＡＭ４２に記憶後、メインフローチャートに戻る。
【００６３】
［ファイル割り付け処理］
次に、上記Ｓ１１７でメインプロジェクタのＣＰＵ４１、即ち、ＵＳＢメモリ２１が装着されたプロジェクタのＣＰＵ４１が実行する「ファイル割り付け処理」のサブ処理について図５及び図８に基づいて説明する。
【００６４】
図５に示すように、先ず、Ｓ２１１において、ＣＰＵ４１は、ＲＡＭ４２からファイルカウント値ｍを読み出し、このファイルカウント値ｍに「１」を代入して、再度ＲＡＭ４２に記憶する。また、ＣＰＵ４１は、ＲＡＭ４２からプロジェクタカウント値ｎを読み出し、このプロジェクタカウント値ｎに「１」を代入して、再度ＲＡＭ４２に記憶する。
尚、各プロジェクタ１１〜１４の起動時には、ファイルカウント値ｍ及びプロジェクタカウント値ｎには、それぞれ「０」が代入されてＲＡＭ４２に記憶されている。
【００６５】
そして、Ｓ２１２において、ＣＰＵ４１は、プロジェクタカウント値ｎとファイルカウント値ｍとをＲＡＭ４２から読み出し、プロジェクタ識別ＩＤが「Ｐｎ」のプロジェクタに対してＵＳＢメモリ２１に記憶されているルートディレクトリの第ｍ番目の投影可能なファイルｍを割り付ける。つまり、ＣＰＵ４１は、自プロジェクタのプロジェクタ識別ＩＤが「Ｐｎ」の場合には、ルートディレクトリの第ｍ番目の投影可能なファイルｍを投影情報としてＲＡＭ４２に記憶する。また、ＣＰＵ４１は、他のサブプロジェクタのプロジェクタ識別ＩＤが「Ｐｎ」の場合には、このプロジェクタ識別ＩＤが「Ｐｎ」のサブプロジェクタに対してルートディレクトリの第ｍ番目の投影可能なファイルｍを投影情報として割り付ける。
ここで、割り付け情報、即ち、プロジェクタとファイルとの対応関係は、メインプロジェクタのＲＡＭ４２に順次保存され、後述の「投影処理」のサブ処理（図１１参照）において、この割り付け情報に基づいて各プロジェクタに投影情報（ファイル）が送信される。つまり、ここでは、メインプロジェクタが各ファイルと各プロジェクタとの対応関係を決めるだけであり、実際のファイル転送は、後述のＳ５１２及びＳ５１９の処理において実行される。
【００６６】
続いて、Ｓ２１３において、ＣＰＵ４１は、ファイルカウント値ｍと投影可能なファイル数としての代数ＭをＲＡＭ４２から読み出し、ファイルカウント値ｍと代数Ｍとが等しいか否かを判定する判定処理を実行する。即ち、ＣＰＵ４１は、ＵＳＢメモリ２１に記憶される投影可能なファイルを全て各プロジェクタ１１〜１４に割り付けたか否かを判定する判定処理を実行する。
【００６７】
そして、ファイルカウント値ｍと代数Ｍとが等しくない場合、即ち、ＵＳＢメモリ２１に記憶される投影可能なファイルを全て各プロジェクタ１１〜１４に割り付けていない場合には（Ｓ２１３：ＮＯ）、ＣＰＵ４１は、Ｓ２１４の処理に移行する。Ｓ２１４において、ＣＰＵ４１は、ＲＡＭ４２からファイルカウント値ｍを読み出し、このファイルカウント値ｍに「１」加算して、再度ＲＡＭ４２に記憶する。また、ＣＰＵ４１は、ＲＡＭ４２からプロジェクタカウント値ｎを読み出し、このプロジェクタカウント値ｎに「１」加算して、再度ＲＡＭ４２に記憶する。
【００６８】
続いて、Ｓ２１５において、ＣＰＵ４１は、ＲＡＭ４２からプロジェクタカウント値ｎとプロジェクタ台数としての代数Ｎとを読み出し、このプロジェクタカウント値ｎが代数Ｎより大きいか否かを判定する判定処理を実行する。即ち、ＣＰＵ４１は、最後のプロジェクタに対して投影可能なファイルを割り付けたか否かを判定する判定処理を実行する。
そして、プロジェクタカウント値ｎが代数Ｎ以下の場合には（Ｓ２１５：ＮＯ）、ＣＰＵ４１は、再度Ｓ２１２以降の処理を実行する。
【００６９】
一方、プロジェクタカウント値ｎが代数Ｎより大きい場合には（Ｓ２１５：ＹＥＳ）、ＣＰＵ４１は、Ｓ２１６の処理に移行する。Ｓ２１６において、ＣＰＵ４１は、ＲＡＭ４２からプロジェクタカウント値ｎを読み出し、このプロジェクタカウント値ｎに「１」を代入して、再度ＲＡＭ４２に記憶後、再度、Ｓ２１２以降の処理を実行する。
他方、上記Ｓ２１３でファイルカウント値ｍと代数Ｍとが等しい場合には（Ｓ２１３：ＹＥＳ）、ＣＰＵ４１は、ＵＳＢメモリ２１に記憶される投影可能なファイルを全て各プロジェクタ１１〜１４に均等に割り付けたと判定して、当該サブ処理を終了して、「割り付け処理」のサブ処理に戻り、Ｓ１２１の処理に移行する。
【００７０】
［ファイル割り付け処理の一例］
ここで、投影可能なファイルだけがＵＳＢメモリ２１に記憶されている場合に実行される「ファイル割り付け処理」の一例について図８に基づいて説明する。
【００７１】
図８に示すように、各プロジェクタ１１〜１４のうち、プロジェクタ１１にＵＳＢメモリ２１が装着されている。そして、このＵＳＢメモリ２１には、ルートディレクトリの投影可能な各ファイル１１１〜１２０、１２３〜１２６と、ルートディレクトリの投影できない各ファイル１２１、１２２とが記憶されている。また、各プロジェクタ１１〜１４のプロジェクタ識別ＩＤは、順番にＰ１、Ｐ２、Ｐ３、Ｐ４である。
【００７２】
従って、メインプロジェクタ１１のＣＰＵ４１は、自プロジェクタ１１に、投影可能な各ファイル１１１、１１５、１１９、１２５を割り付け、他のサブプロジェクタ１２に、投影可能な各ファイル１１２、１１６、１２０、１２６を割り付ける。また、他のサブプロジェクタ１３には、投影可能な各ファイル１１３、１１７、１２３を割り付け、他のサブプロジェクタ１４には、投影可能な各ファイル１１４、１１８、１２４を割り付ける。
【００７３】
［フォルダ割り付け処理１］
次に、上記Ｓ１１９でメインプロジェクタのＣＰＵ４１、即ち、ＵＳＢメモリ２１が装着されたプロジェクタのＣＰＵ４１が実行する「フォルダ割り付け処理１」のサブ処理について図６及び図９に基づいて説明する。
【００７４】
図６に示すように、先ず、Ｓ３１１において、ＣＰＵ４１は、ＲＡＭ４２からフォルダカウント値ｆを読み出し、このフォルダカウント値ｆに「１」を代入して、再度ＲＡＭ４２に記憶する。また、ＣＰＵ４１は、ＲＡＭ４２からプロジェクタカウント値ｎを読み出し、このプロジェクタカウント値ｎに「１」を代入して、再度ＲＡＭ４２に記憶する。
尚、各プロジェクタ１１〜１４の起動時には、フォルダカウント値ｆには、「０」が代入されてＲＡＭ４２に記憶されている。
【００７５】
そして、Ｓ３１２において、ＣＰＵ４１は、プロジェクタカウント値ｎとフォルダカウント値ｆとをＲＡＭ４２から読み出し、プロジェクタ識別ＩＤが「Ｐｎ」のプロジェクタに対してＵＳＢメモリ２１に記憶されているルートディレクトリの第ｆ番目の投影可能なファイルを含むフォルダｆを割り付ける。つまり、ＣＰＵ４１は、自プロジェクタのプロジェクタ識別ＩＤが「Ｐｎ」の場合には、ルートディレクトリの第ｆ番目の投影可能なファイルを含むフォルダｆを投影情報としてＲＡＭ４２に記憶する。また、ＣＰＵ４１は、他のサブプロジェクタのプロジェクタ識別ＩＤが「Ｐｎ」の場合には、このプロジェクタ識別ＩＤが「Ｐｎ」のサブプロジェクタに対してルートディレクトリの第ｆ番目の投影可能なファイルを含むフォルダｆを投影情報として割り付ける。
【００７６】
続いて、Ｓ３１３において、ＣＰＵ４１は、フォルダカウント値ｆと投影可能なファイルを含むフォルダ数としての代数ＦをＲＡＭ４２から読み出し、このフォルダカウント値ｆと代数Ｆとが等しいか否かを判定する判定処理を実行する。即ち、ＣＰＵ４１は、ＵＳＢメモリ２１に記憶される投影可能なファイルを含むフォルダを全て割り付けたか否かを判定する判定処理を実行する。
【００７７】
そして、フォルダカウント値ｆと代数Ｆとが等しくない場合、即ち、ＵＳＢメモリ２１に記憶される投影可能なファイルを含むフォルダを全て割り付けていない場合には（Ｓ３１３：ＮＯ）、ＣＰＵ４１は、Ｓ３１４の処理に移行する。Ｓ３１４において、ＣＰＵ４１は、ＲＡＭ４２からフォルダカウント値ｆを読み出し、このフォルダカウント値ｆに「１」加算して、再度ＲＡＭ４２に記憶する。また、ＣＰＵ４１は、ＲＡＭ４２からプロジェクタカウント値ｎを読み出し、このプロジェクタカウント値ｎに「１」加算して、再度ＲＡＭ４２に記憶後、再度Ｓ３１２以降の処理を実行する。
【００７８】
一方、フォルダカウント値ｆと代数Ｆとが等しい場合、即ち、ＵＳＢメモリ２１に記憶される投影可能なファイルを含むフォルダを全て割り付けた場合には（Ｓ３１３：ＹＥＳ）、ＣＰＵ４１は、Ｓ３１５の処理に移行する。Ｓ３１５において、ＣＰＵ４１は、ＲＡＭ４２からプロジェクタカウント値ｎを読み出し、このプロジェクタカウント値ｎに「１」加算して、再度ＲＡＭ４２に記憶する。
【００７９】
そして、Ｓ３１６において、ＣＰＵ４１は、ＲＡＭ４２からプロジェクタカウント値ｎを読み出し、このプロジェクタカウント値ｎをルートディレクトリの投影可能なファイルを割り付ける最初のプロジェクタの順番として代数Ｘに代入してＲＡＭ４２に記憶する。
続いて、Ｓ３１７において、ＣＰＵ４１は、ＲＡＭ４２からファイルカウント値ｍを読み出し、このファイルカウント値ｍに「１」を代入して、再度ＲＡＭ４２に記憶する。
【００８０】
その後、Ｓ３１８において、ＣＰＵ４１は、プロジェクタカウント値ｎとファイルカウント値ｍとをＲＡＭ４２から読み出し、プロジェクタ識別ＩＤが「Ｐｎ」のプロジェクタに対してＵＳＢメモリ２１に記憶されているルートディレクトリの第ｍ番目の投影可能なファイルｍを割り付ける。つまり、ＣＰＵ４１は、自プロジェクタのプロジェクタ識別ＩＤが「Ｐｎ」の場合には、ルートディレクトリの第ｍ番目の投影可能なファイルｍを投影情報としてＲＡＭ４２に記憶する。また、ＣＰＵ４１は、他のサブプロジェクタのプロジェクタ識別ＩＤが「Ｐｎ」の場合には、このプロジェクタ識別ＩＤが「Ｐｎ」のサブプロジェクタに対してルートディレクトリの第ｍ番目の投影可能なファイルｍを投影情報として割り付ける。
【００８１】
続いて、Ｓ３１９において、ＣＰＵ４１は、ファイルカウント値ｍと投影可能なファイル数としての代数ＭをＲＡＭ４２から読み出し、ファイルカウント値ｍと代数Ｍとが等しいか否かを判定する判定処理を実行する。即ち、ＣＰＵ４１は、ＵＳＢメモリ２１に記憶される投影可能なファイルを全て割り付けたか否かを判定する判定処理を実行する。
そして、ファイルカウント値ｍと代数Ｍとが等しくない場合、即ち、ＵＳＢメモリ２１に記憶される投影可能なファイルを全て割り付けていない場合には（Ｓ３１９：ＮＯ）、ＣＰＵ４１は、Ｓ３２０の処理に移行する。
【００８２】
Ｓ３２０において、ＣＰＵ４１は、ＲＡＭ４２からファイルカウント値ｍを読み出し、このファイルカウント値ｍに「１」加算して、再度ＲＡＭ４２に記憶する。また、ＣＰＵ４１は、ＲＡＭ４２からプロジェクタカウント値ｎを読み出し、このプロジェクタカウント値ｎに「１」加算して、再度ＲＡＭ４２に記憶する。
続いて、Ｓ３２１において、ＣＰＵ４１は、ＲＡＭ４２からプロジェクタカウント値ｎとプロジェクタ台数としての代数Ｎとを読み出し、このプロジェクタカウント値ｎが代数Ｎより大きいか否かを判定する判定処理を実行する。即ち、ＣＰＵ４１は、最後のプロジェクタに対して投影可能なファイルを割り付けたか否かを判定する判定処理を実行する。
【００８３】
そして、プロジェクタカウント値ｎが代数Ｎ以下の場合には（Ｓ３２１：ＮＯ）、ＣＰＵ４１は、再度Ｓ３１８以降の処理を実行する。
一方、プロジェクタカウント値ｎが代数Ｎより大きい場合には（Ｓ３２１：ＹＥＳ）、ＣＰＵ４１は、Ｓ３２２の処理に移行する。Ｓ３２２において、ＣＰＵ４１は、ＲＡＭ４２からプロジェクタカウント値ｎと最初のプロジェクタの順番としての代数Ｘを読み出し、このプロジェクタカウント値ｎに代数Ｘを代入して、再度ＲＡＭ４２に記憶後、再度、Ｓ３１８以降の処理を実行する。これにより、ＣＰＵ４１は、投影可能なフォルダを記憶していないプロジェクタのうち第１番目のプロジェクタ識別ＩＤが「Ｐｎ」のプロジェクタに対してＵＳＢメモリ２１に記憶されているルートディレクトリの第ｍ番目の投影可能なファイルｍを割り付けることが可能となる。
【００８４】
他方、上記Ｓ３１９でファイルカウント値ｍと代数Ｍとが等しい場合には（Ｓ３１９：ＹＥＳ）、ＣＰＵ４１は、ＵＳＢメモリ２１に記憶される投影可能なファイルを全て投影可能なファイルを含むフォルダを記憶していないプロジェクタに均等に割り付けたと判定して、当該サブ処理を終了して、「割り付け処理」のサブ処理に戻り、Ｓ１２１の処理に移行する。
【００８５】
［フォルダ割り付け処理１の一例］
ここで、ＵＳＢメモリ２１に投影可能なフォルダが２個と投影可能なファイルが１４個記憶されている場合に実行される「フォルダ割り付け処理１」の一例について図９に基づいて説明する。
【００８６】
図９に示すように、各プロジェクタ１１〜１４のうち、プロジェクタ１１にＵＳＢメモリ２１が装着されている。そして、このＵＳＢメモリ２１には、ルートディレクトリの投影可能な各ファイル１１１〜１２０、１２３〜１２６と、ルートディレクトリの投影できない各ファイル１２１、１２２とが記憶されている。また、ＵＳＢメモリ２１には、ルートディレクトリの投影可能な複数のファイルが格納されている各フォルダ２０１、２０２と、ルートディレクトリの投影可能なファイルが格納されていないフォルダ２０３とが記憶されている。また、各プロジェクタ１１〜１４のプロジェクタ識別ＩＤは、順番にＰ１、Ｐ２、Ｐ３、Ｐ４である。
【００８７】
従って、メインプロジェクタ１１のＣＰＵ４１は、ルートディレクトリの投影可能な複数のファイルが格納されているフォルダ２０１を自プロジェクタ１１に割り付け、ルートディレクトリの投影可能な複数のファイルが格納されているフォルダ２０２を他のサブプロジェクタ１２に割り付ける。また、プロジェクタ１１のＣＰＵ４１は、ルートディレクトリの投影可能な各ファイル１１１〜１２０、１２３〜１２６を他の各サブプロジェクタ１３、１４に順番に均等に割り付ける。例えば、他のサブプロジェクタ１３には、投影可能な各ファイル１１１、１１３、１１５、１１７、１１９、１２３、１２５が割り付けられる。また、他のサブプロジェクタ１４には、投影可能な各ファイル１１２、１１４、１１６、１１８、１２０、１２４、１２６が割り付けられる。
【００８８】
［フォルダ割り付け処理２］
次に、上記Ｓ１２０でメインプロジェクタのＣＰＵ４１、即ち、ＵＳＢメモリ２１が装着されたプロジェクタのＣＰＵ４１が実行する「フォルダ割り付け処理２」のサブ処理について図７及び図１０に基づいて説明する。
図７に示すように、先ず、Ｓ４１１及びＳ４１２において、ＣＰＵ４１は、上記Ｓ３１１及びＳ３１２の処理を実行する。
【００８９】
そして、Ｓ４１３において、ＣＰＵ４１は、ＲＡＭ４２からフォルダカウント値ｆを読み出し、このフォルダカウント値ｆに「１」加算して、再度ＲＡＭ４２に記憶する。
続いて、Ｓ４１４において、ＣＰＵ４１は、フォルダカウント値ｆと投影可能なフォルダ数としての代数ＦをＲＡＭ４２から読み出し、このフォルダカウント値ｆが代数Ｆより大きいか否かを判定する判定処理を実行する。即ち、ＣＰＵ４１は、ＵＳＢメモリ２１に記憶される投影可能なフォルダを全て割り付けたか否かを判定する判定処理を実行する。
【００９０】
そして、フォルダカウント値ｆが代数Ｆ以下の場合には（Ｓ４１４：ＮＯ）、ＣＰＵ４１は、Ｓ４１５の処理に移行する。Ｓ４１５において、ＣＰＵ４１は、ＲＡＭ４２からプロジェクタカウント値ｎを読み出し、このプロジェクタカウント値ｎに「１」加算して、再度ＲＡＭ４２に記憶する。
続いて、Ｓ４１６において、ＣＰＵ４１は、ＲＡＭ４２からプロジェクタカウント値ｎとプロジェクタ台数としての代数Ｎとを読み出し、このプロジェクタカウント値ｎと代数Ｎとが等しいか否かを判定する判定処理を実行する。即ち、ＣＰＵ４１は、最後の４番目のプロジェクタ１４に対して投影可能なフォルダを割り付けようとしているか否かを判定する判定処理を実行する。
【００９１】
そして、プロジェクタカウント値ｎと代数Ｎとが等しくない場合には（Ｓ４１６：ＮＯ）、ＣＰＵ４１は、再度Ｓ４１２以降の処理を実行する。
一方、プロジェクタカウント値ｎと代数Ｎとが等しい場合には（Ｓ４１６：ＹＥＳ）、ＣＰＵ４１は、Ｓ４１７の処理に移行する。Ｓ４１７において、ＣＰＵ４１は、ＲＡＭ４２からプロジェクタカウント値ｎを読み出し、このプロジェクタカウント値ｎに「１」を代入して、再度ＲＡＭ４２に記憶後、再度Ｓ４１２以降の処理を実行する。これにより、ＣＰＵ４１は、プロジェクタ識別ＩＤが「Ｐ１」〜「Ｐ３」の各プロジェクタ１１〜１３だけに投影可能なファイルを含むフォルダを記憶させ、最後の４番目のプロジェクタ１４に投影可能なフォルダを記憶させないようにすることができる。
【００９２】
一方、上記Ｓ４１４でフォルダカウント値ｆが代数Ｆより大きい場合には（Ｓ４１４：ＹＥＳ）、ＣＰＵ４１は、Ｓ４１８の処理に移行する。Ｓ４１８において、ＣＰＵ４１は、ＲＡＭ４２からファイルカウント値ｍを読み出し、このファイルカウント値ｍに「１」を代入して、再度ＲＡＭ４２に記憶する。
そして、Ｓ４１９において、ＣＰＵ４１は、ＲＡＭ４２からプロジェクタカウント値ｎと代数Ｎとを読み出し、プロジェクタカウント値ｎに代数Ｎを代入して、即ち、プロジェクタカウント値ｎに「４」を代入して、再度ＲＡＭ４２に記憶する。
【００９３】
その後、Ｓ４２０において、ＣＰＵ４１は、プロジェクタカウント値ｎとファイルカウント値ｍとをＲＡＭ４２から読み出し、プロジェクタ識別ＩＤが「Ｐｎ」、つまり、「ＰＮ」のプロジェクタに対してＵＳＢメモリ２１に記憶されているルートディレクトリの第ｍ番目の投影可能なファイルｍを割り付ける。つまり、ＣＰＵ４１は、自プロジェクタの識別ＩＤが「Ｐ４」でない場合には、プロジェクタ識別ＩＤが「Ｐ４」の最後の４番目のサブプロジェクタ１４に対してルートディレクトリの第ｍ番目の投影可能なファイルｍを投影情報として割り付ける。
【００９４】
尚、ＣＰＵ４１は、自プロジェクタの識別ＩＤが「Ｐ４」の場合、つまり、ＵＳＢメモリ２１がプロジェクタ１４に装着された場合には、メインプロジェクタ１４のＣＰＵ４１は、ＵＳＢメモリ２１に記憶されているルートディレクトリの第ｍ番目の投影可能なファイルｍを投影情報としてＲＡＭ４２に記憶する。
【００９５】
続いて、Ｓ４２１において、ＣＰＵ４１は、ファイルカウント値ｍと投影可能なファイル数としての代数ＭをＲＡＭ４２から読み出し、ファイルカウント値ｍと代数Ｍとが等しいか否かを判定する判定処理を実行する。即ち、ＣＰＵ４１は、ＵＳＢメモリ２１に記憶される投影可能なファイルを全て割り付けたか否かを判定する判定処理を実行する。
【００９６】
そして、ファイルカウント値ｍと代数Ｍとが等しくない場合、即ち、ＵＳＢメモリ２１に記憶される投影可能なファイルを全て割り付けていない場合には（Ｓ４２１：ＮＯ）、ＣＰＵ４１は、Ｓ４２２の処理に移行する。Ｓ４２２において、ＣＰＵ４１は、ＲＡＭ４２からファイルカウント値ｍを読み出し、このファイルカウント値ｍに「１」加算して、再度ＲＡＭ４２に記憶後、再度Ｓ４２０以降の処理を実行する。
【００９７】
一方、ファイルカウント値ｍと代数Ｍとが等しい場合、即ち、ＵＳＢメモリ２１に記憶される投影可能なファイルを全て割り付けた場合には（Ｓ４２１：ＹＥＳ）、ＣＰＵ４１は、当該サブ処理を終了して、「割り付け処理」のサブ処理に戻り、Ｓ１２１の処理に移行する。
これにより、ＣＰＵ４１は、ＵＳＢメモリ２１に記憶されているルートディレクトリの投影可能なファイルを含むフォルダを記憶していない最後の４番目のプロジェクタ１４に対して、ＵＳＢメモリ２１に記憶されているルートディレクトリの投影可能な全てのファイルを記憶させることができる。
【００９８】
［フォルダ割り付け処理２の一例］
ここで、ＵＳＢメモリ２１に投影可能なファイルを含むフォルダが４個と投影可能なファイルが１４個記憶されている場合に実行される「フォルダ割り付け処理２」の一例について図１０に基づいて説明する。
【００９９】
図１０に示すように、各プロジェクタ１１〜１４のうち、プロジェクタ１１にＵＳＢメモリ２１が装着されている。そして、このＵＳＢメモリ２１には、ルートディレクトリの投影可能な各ファイル１１１〜１２０、１２３〜１２６と、ルートディレクトリの投影できない各ファイル１２１、１２２とが記憶されている。また、ＵＳＢメモリ２１には、ルートディレクトリの投影可能な複数のファイルが格納されている各フォルダ２１１〜２１４が記憶されている。また、各プロジェクタ１１〜１４のプロジェクタ識別ＩＤは、順番にＰ１、Ｐ２、Ｐ３、Ｐ４である。
【０１００】
従って、メインプロジェクタ１１のＣＰＵ４１は、ルートディレクトリの投影可能な各フォルダ２１１、２１４を自プロジェクタ１１に割り付け、ルートディレクトリの投影可能なフォルダ２１２を他のサブプロジェクタ１２に割り付け、更に、ルートディレクトリの投影可能なフォルダ２１３を他のサブプロジェクタ１３に割り付ける。また、メインプロジェクタ１１のＣＰＵ４１は、ルートディレクトリの投影可能な全ての各ファイル１１１〜１２０、１２３〜１２６を他のサブプロジェクタ１４に割り付ける。
【０１０１】
［投影処理］
次に、上記Ｓ１７で各プロジェクタ１１〜１４のＣＰＵ４１が実行する「投影処理」のサブ処理について図１１に基づいて説明する。
【０１０２】
図１１に示すように、先ず、Ｓ５１１において、各プロジェクタ１１〜１４のＣＰＵ４１は、ＲＡＭ４２からメインプロジェクタフラグを読み出し、ＯＮに設定されているか否か、即ち、自プロジェクタがメインプロジェクタに設定されているか否かを判定する判定処理を実行する。
そして、メインプロジェクタフラグがＯＮに設定されている場合、即ち、自プロジェクタがメインプロジェクタに設定されている場合には（Ｓ５１１：ＹＥＳ）、当該メインプロジェクタのＣＰＵ４１は、Ｓ５１２の処理に移行する。
【０１０３】
Ｓ５１２において、メインプロジェクタのＣＰＵ４１は、ＲＡＭ４２から投影可能なファイルやフォルダを自プロジェクタ及び他のプロジェクタのそれぞれに割り付けた割り付け設定を読み出し、割り付け設定として作成されている自プロジェクタ及び他のプロジェクタのそれぞれが、順次投影する投影可能なファイルやフォルダ内のファイル等の投影順番を表す投影リストに基づきメインプロジェクタのＣＰＵ４１は、他の各サブプロジェクタに対して、それぞれ投影すべき投影可能なファイルや投影可能なファイルが収められたフォルダを投影情報として通信インターフェース４４を介して送信する。一方、他のサブプロジェクタのＣＰＵ４１は、投影可能なファイルや投影可能なファイルを含むフォルダを投影情報として受信した場合には、受信した投影可能なファイルや投影可能なファイルを含むフォルダを投影情報としてＲＡＭ４２に記憶する。
【０１０４】
そして、Ｓ５１３において、メインプロジェクタのＣＰＵ４１は、自プロジェクタの投影リストをＲＡＭ４２から読み出し、第１番目に投影する投影可能なファイルやフォルダ内のファイル等を特定する。そして、メインプロジェクタのＣＰＵ４１は、この特定したファイル等の画像データをＲＡＭ４２から読み出し、画像処理回路部５５に出力してスクリーン１８に所定サイズで投射する。
続いて、Ｓ５１４において、メインプロジェクタのＣＰＵ４１は、赤外線制御部４８を介してリモコン２５から切替指示が入力されたか否か、即ち、ユーザがリモコン２５の各切替ボタン２５Ａ、２５Ｂを押下して送り操作を行ったか否かを判定する判定処理を実行する。
【０１０５】
そして、赤外線制御部４８を介してリモコン２５から切替指示が入力されていない場合には（Ｓ５１４：ＮＯ）、メインプロジェクタのＣＰＵ４１は、後述のＳ５１８の処理に移行する。
一方、赤外線制御部４８を介してリモコン２５から切替指示が入力された場合には（Ｓ５１４：ＹＥＳ）、メインプロジェクタのＣＰＵ４１は、Ｓ５１５の処理に移行する。Ｓ５１５において、メインプロジェクタのＣＰＵ４１は、自プロジェクタの投影リストをＲＡＭ４２から読み出し、次に投影する投影可能なファイルやフォルダ内のファイル等を特定する。そして、メインプロジェクタのＣＰＵ４１は、この特定したファイル等の画像データをＲＡＭ４２から読み出し、画像処理回路部５５に出力してスクリーン１８に所定サイズで投射する。
【０１０６】
続いて、Ｓ５１６において、メインプロジェクタのＣＰＵ４１は、通信インターフェース４４を介して、他のメインプロジェクタに対してサブプロジェクタの設定を拒否する拒否通知を送信したか否かを判定する判定処理を実行する。具体的には、ＣＰＵ４１は、後述の拒否通知フラグ（図１２のＳ６１８参照）をＲＡＭ４２から読み出し、この拒否通知フラグがＯＮに設定されているか否かを判定する判定処理を実行する。
尚、拒否通知フラグは、各プロジェクタ１１〜１４の起動時には、ＯＦＦに設定されてＲＡＭ４２に記憶されている。
【０１０７】
そして、他のメインプロジェクタに対してサブプロジェクタの設定を拒否する拒否通知を送信した場合、即ち、ＲＡＭ４２から読み出した拒否通知フラグがＯＮに設定されている場合には（Ｓ５１６：ＹＥＳ）、メインプロジェクタのＣＰＵ４１は、後述のＳ５１８の処理に移行する。
一方、他のメインプロジェクタに対してサブプロジェクタの設定を拒否する拒否通知を送信していない場合、即ち、ＲＡＭ４２から読み出した拒否通知フラグがＯＦＦに設定されている場合には（Ｓ５１６：ＮＯ）、メインプロジェクタのＣＰＵ４１は、Ｓ５１７の処理に移行する。Ｓ５１７において、メインプロジェクタのＣＰＵ４１は、他のサブプロジェクトのそれぞれに対して、次の順番の投影可能なファイルやフォルダ内のファイル等をスクリーン１８に投射するように指示する送り信号を送信する。
【０１０８】
続いて、Ｓ５１８において、メインプロジェクタのＣＰＵ４１は、自プロジェクタの投影リストをＲＡＭ４２から読み出し、最後の順番の投影可能なファイルやフォルダ内のファイル等を投影したか否か、即ち、ＲＡＭ４２に記憶する投影可能なファイルやフォルダ内のファイル等を全て投影したか否かを判定する判定処理を実行する。また、メインプロジェクタのＣＰＵ４１は、赤外線制御部４８を介してリモコン２５から投影終了指示が入力されたか否か、即ち、ユーザがリモコン２５の終了ボタン２５Ｃを押下して投影停止を行ったか否かを判定する判定処理を実行する。
【０１０９】
そして、ＲＡＭ４２に記憶する投影可能なファイルやフォルダ内のファイル等を全て投影していない場合で、且つ、赤外線制御部４８を介してリモコン２５から投影終了指示が入力されていない場合には（Ｓ５１８：ＮＯ）、メインプロジェクタのＣＰＵ４１は、再度Ｓ５１４以降の処理を実行する。
一方、ＲＡＭ４２に記憶する投影可能なファイルやフォルダ内のファイル等を全て投影した場合、又は、赤外線制御部４８を介してリモコン２５から投影終了指示が入力された場合には（Ｓ５１８：ＹＥＳ）、メインプロジェクタのＣＰＵ４１は、スクリーン１８への投射を停止すると共に、他のサブプロジェクタのそれぞれに対して、投影停止を指示する終了信号を送信後、当該サブ処理を終了してメインフローチャートに戻る。
【０１１０】
他方、上記Ｓ５１１でメインプロジェクタフラグがＯＦＦに設定されている場合、即ち、自プロジェクタがサブプロジェクタに設定されている場合には（Ｓ５１１：ＮＯ）、当該サブプロジェクタのＣＰＵ４１は、Ｓ５１９の処理に移行する。Ｓ５１９において、サブプロジェクタのＣＰＵ４１は、通信インターフェース４４を介して、順次投影する投影可能なファイルやフォルダ内のファイル等である投影情報を受信し、この投影情報をＲＡＭ４２に記憶する。
【０１１１】
そして、Ｓ５２０において、サブプロジェクタのＣＰＵ４１は、投影可能なファイルやフォルダ内のファイル等をＲＡＭ４２から読み出し、第１番目に投影する投影可能なファイルやフォルダ内のファイル等を特定する。そして、サブプロジェクタのＣＰＵ４１は、この特定したファイル等の画像データをＲＡＭ４２から読み出し、画像処理回路部５５に出力してスクリーン１８に所定サイズで投射する。
尚、サブプロジェクタのＣＰＵ４１は、メインプロジェクタから投影可能なファイルやフォルダ内のファイル等の投影リストを受信し、その投影リストの順番に従ってファイル等の画像データをＲＡＭ４２から読み出し、画像処理回路部５５に出力してスクリーン１８に所定サイズで投射するようにしてもよい。
【０１１２】
続いて、Ｓ５２１において、サブプロジェクタのＣＰＵ４１は、通信インターフェース４４を介して、次の順番の投影可能なファイルやフォルダ内のファイル等をスクリーン１８に投射するように指示する送り信号を受信したか否かを判定する判定処理を実行する。
そして、次の順番の投影可能なファイルやフォルダ内のファイル等をスクリーン１８に投射するように指示する送り信号を受信していない場合には（Ｓ５２１：ＮＯ）、サブプロジェクタのＣＰＵ４１は、後述のＳ５２３の処理に移行する。
【０１１３】
一方、次の順番の投影可能なファイルやフォルダ内のファイル等をスクリーン１８に投射するように指示する送り信号を受信した場合には（Ｓ５２１：ＹＥＳ）、サブプロジェクタのＣＰＵ４１は、Ｓ５２２の処理に移行する。Ｓ５２２において、サブプロジェクタのＣＰＵ４１は、次の順番の投影可能なファイルやフォルダ内のファイル等をＲＡＭ４２から読み出し、画像処理回路部５５に出力してスクリーン１８に所定サイズで投射する。
【０１１４】
続いて、Ｓ５２３において、サブプロジェクタのＣＰＵ４１は、最後の順番の投影可能なファイルやフォルダ内のファイル等を投影したか否か、即ち、ＲＡＭ４２に記憶する投影可能なファイルやフォルダ内のファイル等を全て投影したか否かを判定する判定処理を実行する。また、サブプロジェクタのＣＰＵ４１は、通信インターフェース４４を介して、投影停止を指示する終了信号を受信したか否かを判定する判定処理を実行する。
【０１１５】
そして、ＲＡＭ４２に記憶する投影可能なファイルやフォルダ内のファイル等を全て投影していない場合で、且つ、通信インターフェース４４を介して、投影停止を指示する終了信号を受信していない場合には（Ｓ５２３：ＮＯ）、サブプロジェクタのＣＰＵ４１は、再度Ｓ５２１以降の処理を実行する。
一方、ＲＡＭ４２に記憶する投影可能なファイルやフォルダ内のファイル等を全て投影した場合、又は、通信インターフェース４４を介して、投影停止を指示する終了信号を受信した場合には（Ｓ５２３：ＹＥＳ）、サブプロジェクタのＣＰＵ４１は、スクリーン１８への投射を停止後、当該サブ処理を終了してメインフローチャートに戻る。
【０１１６】
［複数画像投影処理２］
次に、各プロジェクタ１１〜１４のいずれかにＵＳＢメモリ２１が装着された後、更にサブプロジェクタのいずれかにＵＳＢメモリ２１が装着された場合に、各プロジェクタ１１〜１４のＣＰＵ４１が、それぞれ割り付けられた画像データをスクリーン１８に投影する「複数画像投影処理２」について図１２及び図１３に基づいて説明する。
【０１１７】
図１２は各プロジェクタ１１〜１４のいずれかにＵＳＢメモリ２１が装着された後、更にサブプロジェクタのいずれかにＵＳＢメモリ２１が装着された場合に、各プロジェクタ１１〜１４のＣＰＵ４１が、それぞれ割り付けられた画像データをスクリーンに投影する「複数画像投影処理２」を示すメインフローチャートである。図１３はプロジェクタ１１にＵＳＢメモリ２１が装着された後に、更に、プロジェクタ１２にＵＳＢメモリ６１が装着された場合に実行される「ファイル割り付け処理」の一例を示す図である。
【０１１８】
図１２に示すように、先ず、Ｓ６１１において、各プロジェクタ１１〜１４のＣＰＵ４１は、読取部４６に投影可能なファイルを含むフォルダやファイル等を記憶するＵＳＢメモリ２１が挿入されたか否か、即ち、読取部４６にＵＳＢメモリ２１が装着されたか否かを判定する判定処理を実行する。
そして、読取部４６に投影可能なファイルを含むフォルダやファイル等を記憶するＵＳＢメモリ２１が装着された場合には（Ｓ６１１１：ＹＥＳ）、ＣＰＵ４１は、Ｓ６１２の処理に移行する。Ｓ６１２において、ＣＰＵ４１は、ＲＡＭ４２からメインプロジェクタフラグを読み出してＯＮに設定後、再度ＲＡＭ４２に記憶して、自プロジェクタをメインプロジェクタに設定する。
【０１１９】
続いて、Ｓ６１３において、新たなメインプロジェクタのＣＰＵ４１は、通信インタフェース４４を介して他のプロジェクタに対してサブプロジェクタに設定するように指示するサブ設定通知を送信後、後述のＳ６１９の処理に移行する。
【０１２０】
一方、Ｓ６１１で読取部４６にＵＳＢメモリ２１が装着されていない場合には（Ｓ６１１：ＮＯ）、ＣＰＵ４１は、Ｓ６１４の処理に移行する。Ｓ６１４において、ＣＰＵ４１は、通信インターフェース４４を介して、サブプロジェクタに設定するように指示するサブ設定通知を受信したか否かを判定する判定処理を実行する。
そして、サブプロジェクタに設定するように指示するサブ設定通知を受信していない場合には（Ｓ６１４：ＮＯ）、ＣＰＵ４１は、再度Ｓ６１１以降の処理を実行する。
【０１２１】
また一方、サブプロジェクタに設定するように指示するサブ設定通知を受信した場合には（Ｓ６１４：ＹＥＳ）、ＣＰＵ４１は、Ｓ６１５の処理に移行する。Ｓ６１５において、ＣＰＵ４１は、ＲＡＭ４２からメインプロジェクタフラグを読み出してＯＮに設定されているか否か、即ち、メインプロジェクタに設定されているか否かを判定する判定処理を実行する。
【０１２２】
そして、メインプロジェクタフラグがＯＦＦの場合、即ち、メインプロジェクタに設定されていない場合には（Ｓ６１５：ＮＯ）、ＣＰＵ４１は、Ｓ６１６の処理に移行する。Ｓ６１６において、ＣＰＵ４１は、ＲＡＭ４２からメインプロジェクタフラグを再度読み出してＯＦＦに設定後、ＲＡＭ４２に記憶して、自プロジェクタをサブプロジェクタに設定後、後述のＳ６１９の処理に移行する。
【０１２３】
一方、メインプロジェクタフラグがＯＮの場合、即ち、メインプロジェクタに設定されている場合には（Ｓ６１５：ＹＥＳ）、メインプロジェクタのＣＰＵ４１は、Ｓ６１７の処理に移行する。Ｓ６１７において、メインプロジェクタのＣＰＵ４１は、ＲＡＭ４２に未投影の投影可能なファイルを含むフォルダやファイル等を記憶しているか否かを判定する判定処理を実行する。
そして、ＲＡＭ４２に未投影の投影可能なファイルを含むフォルダやファイル等を記憶していない場合には（Ｓ６１７：ＮＯ）、メインプロジェクタのＣＰＵ４１は、上記Ｓ６１６の処理に移行する。
【０１２４】
また一方、ＲＡＭ４２に未投影の投影可能なファイルを含むフォルダやファイル等を記憶している場合には（Ｓ６１７：ＹＥＳ）、メインプロジェクタのＣＰＵ４１は、Ｓ６１８の処理に移行する。Ｓ６１８において、メインプロジェクタのＣＰＵ４１は、サブ設定通知を送信した他の新たなメインプロジェクタに対して、通信インターフェース４４を介して、サブプロジェクタの設定を拒否する拒否通知を自プロジェクタを識別するプロジェクタ識別ＩＤを付して送信する。また、メインプロジェクタのＣＰＵ４１は、ＲＡＭ４２から拒否通知フラグを読み出し、この拒否通知フラグをＯＮに設定して、再度ＲＡＭ４２に記憶後、Ｓ６１９の処理に移行する。
【０１２５】
そして、Ｓ６１９において、各プロジェクタ１１〜１４のＣＰＵ４１は、上記Ｓ１６の「割り付け処理」のサブ処理を実行する。
但し、上記Ｓ１１３の処理において、新たなメインプロジェクタのＣＰＵ４１は、サブプロジェクタの設定を拒否する拒否通知とプロジェクタ識別ＩＤとを通信インターフェース４４を介して受信した場合には、このプロジェクタ識別ＩＤをサブプロジェクタの設定を拒否した他のメインプロジェクタのプロジェクタ識別ＩＤとしてＲＡＭ４２に記憶する。
【０１２６】
続いて、ＣＰＵ４１は、プロジェクタ識別ＩＤを他の各プロジェクタに対して自プロジェクタへ送信するように指示する送信通知を通信インターフェース４４を介して送信する。そして、ＣＰＵ４１は、他の各プロジェクタから送信されたプロジェクタ識別ＩＤを順次ＲＡＭ４２に記憶する。その後、この受信したプロジェクタ識別ＩＤからサブプロジェクタの設定を拒否したメインプロジェクタのプロジェクタ識別ＩＤを除いたプロジェクタ識別ＩＤの個数をカウントし、このカウント値に「１」加算して、プロジェクタシステム１を構成するプロジェクタ台数として代数Ｎに代入して（例えば、Ｎ＝３である。）、ＲＡＭ４２に記憶する。
【０１２７】
また、上記Ｓ１１７、Ｓ１１９、Ｓ１２０の処理において、ＣＰＵ４１は、上記Ｓ１１３の処理で受信した他のプロジェクタ識別ＩＤからサブプロジェクタの設定を拒否したメインプロジェクタのプロジェクタ識別ＩＤを除いた各プロジェクタ識別ＩＤが付された各サブプロジェクタと、自プロジェクタとに対して、ＵＳＢメモリ２１に記憶される投影可能なファイルを含むフォルダやファイル等を割り付ける。また、ＵＳＢメモリ２１に記憶される投影可能なファイルを含むフォルダやファイル等を割り付けられた自プロジェクタ及び他の各サブプロジェクタのＣＰＵ４１は、この割り付けられた投影可能なファイルを含むフォルダやファイル等を、既に記憶している投影可能なファイルを含むフォルダやファイル等に追加して記憶する。
そして、各プロジェクタ１１〜１４のＣＰＵ４１は、Ｓ６２０において、上記Ｓ１７の「投影処理」のサブ処理を実行後、当該処理を終了する。
【０１２８】
［ファイル割り付け処理の一例］
ここで、プロジェクタ１１に投影可能なファイルを含むフォルダやファイル等を記憶するＵＳＢメモリ２１が装着された後に、更に、プロジェクタ１２に投影可能なファイルを含むフォルダやファイル等を記憶するＵＳＢメモリ６１が装着された場合に実行される「ファイル割り付け処理」の一例について図１３に基づいて説明する。
【０１２９】
図１３に示すように、プロジェクタ１１に装着されたＵＳＢメモリ２１には、ルートディレクトリの投影可能な各ファイル１１１〜１２０、１２３〜１２６と、ルートディレクトリの投影できない各ファイル１２１、１２２とが記憶されている。また、ＵＳＢメモリ２１には、ルートディレクトリの投影可能な複数のファイルが格納されている各フォルダ２２１、２２２が記憶されている。また、各プロジェクタ１１〜１４のプロジェクタ識別ＩＤは、順番にＰ１、Ｐ２、Ｐ３、Ｐ４である。
【０１３０】
従って、メインプロジェクタ１１のＣＰＵ４１は、上記「フォルダ割り付け処理１」（Ｓ１１９）を実行して、ルートディレクトリの投影可能なフォルダ２２１を自プロジェクタ１１に割り付け、ルートディレクトリの投影可能なフォルダ２２２を他のサブプロジェクタ１２に割り付ける。また、メインプロジェクタ１１のＣＰＵ４１は、ルートディレクトリの投影可能な各ファイル１１１〜１２０、Ｓ１２３〜１２６を他の各サブプロジェクタ１３、１４に順番に均等に割り付ける。例えば、他のサブプロジェクタ１３には、投影可能な各ファイル１１１、１１３、１１５、１１７、１１９、１２３、１２５が割り付けられる。また、他のサブプロジェクタ１４には、投影可能な各ファイル１１２、１１４、１１６、１１８、１２０、１２４、１２６が割り付けられる。
【０１３１】
その後、他のサブプロジェクタ１２にＵＳＢメモリ６１が装着され、このＵＳＢメモリ６１には、ルートディレクトリの投影可能な各ファイル３１１〜３２０が記憶されている。
そして、サブプロジェクタ１２は、メインプロジェクタに設定され、この新たなメインプロジェクタ１２のＣＰＵ４１は、サブ設定通知を他の各プロジェクタ１１、１３、１４に送信した場合には、メインプロジェクタ１１のＣＰＵ４１は、ＲＡＭ４２に投影可能なファイルを含むフォルダ２２１を記憶しているため、当該新たなメインプロジェクタ１２に対して拒否通知とプロジェクタ識別ＩＤ「Ｐ１」とを送信する（Ｓ６１４：ＹＥＳ〜Ｓ６１５：ＹＥＳ〜Ｓ６１７：ＹＥＳ〜Ｓ６１８）
【０１３２】
このため、新たなメインプロジェクタ１２のＣＰＵ４１は、各プロジェクタ１３、１４をサブプロジェクタとして選択し、上記「ファイル割り付け処理」（Ｓ１１７）を実行する。従って、新たなメインプロジェクタ１２のＣＰＵ４１は、自プロジェクタ１２に、投影可能な各ファイル３１１、３１４、３１７、３２０を割り付け、投影可能なファイルを含むフォルダ２２２に追加してＲＡＭ４２に記憶する。また、新たなメインプロジェクタ１２のＣＰＵ４１は、他のサブプロジェクタ１３には、投影可能な各ファイル３１２、３１５、３１８を割り付け、更に、他のサブプロジェクタ１４には、投影可能な各ファイル３１３、３１６、３１９を割り付ける。そして、サブプロジェクタ１３のＣＰＵ４１は、この割り付けられた投影可能な各ファイル３１２、３１５、３１８を、投影可能な各ファイル１１１〜１２５に追加してＲＡＭ４２に記憶する。また、サブプロジェクタ１４のＣＰＵ４１は、この割り付けられた投影可能な各ファイル３１３、３１６、３１９を、投影可能な各ファイル１１２〜１２６に追加してＲＡＭ４２に記憶する。
【０１３３】
［実施例の効果］
以上説明した通り、本実施例に係るプロジェクタシステム１では、各プロジェクタ１１〜１４のいずれかに、投影可能なファイルを含むフォルダやファイル等を記憶するＵＳＢメモリ２１を装着した場合には、このＵＳＢメモリ２１が装着されたプロジェクタのＣＰＵ４１は、自プロジェクタをメインプロジェクタに設定する。そして、メインプロジェクタのＣＰＵ４１は、他のプロジェクタに対してサブプロジェクタに設定するように指示するサブ設定通知を送信し、このサブ設定通知を受信した他の各プロジェクタのＣＰＵ４１は、自プロジェクタをサブプロジェクタに設定する（Ｓ１１〜Ｓ１５）。そして、メインプロジェクタのＣＰＵ４１は、自プロジェクタ及び他の各サブプロジェクタにＵＳＢメモリ２１に記憶されるルートディレクトリの投影可能なファイルを含むフォルダやファイル等を割り付ける（Ｓ１６）。
【０１３４】
これにより、各プロジェクタ１１〜１４のうちのいずれかのプロジェクタに、投影可能なファイルを含むフォルダやファイル等を記憶するＵＳＢメモリ２１を装着するだけで、メインプロジェクタと各サブプロジェクタを自動的に設定することが可能となり、ユーザが設定する手間を省くことが可能となる。また、このＵＳＢメモリ２１を装着したプロジェクタがメインプロジェクタに自動的に設定され、他のプロジェクタがサブプロジェクタに自動的に設定されるため、ユーザはメインプロジェクタを容易に識別することが可能となる。
【０１３５】
また、各プロジェクタ１１〜１４のうちのいずれかのプロジェクタに、ＵＳＢメモリ２１を装着するだけで、このＵＳＢメモリ２１に記憶されるルートディレクトリの投影可能なファイルを含むフォルダやファイル等を各プロジェクタ１１〜１４に自動的に割り付けることが可能となり、ユーザが設定する手間を省くことが可能となる。また、ルートディレクトリの投影可能なファイルを含むフォルダやファイル等を各プロジェクタ１１〜１４に供給するパーソナルコンピュータ等を設ける必要がないため、省スペース化及び維持コストの削減化を図ることが可能となる。
【０１３６】
また、メインプロジェクタのＣＰＵ４１は、Ｓ１１７の処理において、ＵＳＢメモリ２１に記憶されるルートディレクトリの投影可能なファイルを各プロジェクタ１１〜１４に対して均等に割り付ける、つまり、ＵＳＢ２１に記憶されている順序に従って繰り返し順番に割り付けるため、割り付け処理が簡単になり、割り付け処理の迅速化を図ることが可能となる。また、各プロジェクタ１１〜１４のＣＰＵ４１は、スクリーン１８に投射する画像データをファイル毎に切り替えて投影することが可能となる。
【０１３７】
また、メインプロジェクタのＣＰＵ４１は、Ｓ１１９及びＳ１２０の処理において、ＵＳＢメモリ２１に記憶されるルートディレクトリの投影可能なファイルと、ファイルを含むフォルダとを異なるプロジェクタに割り付けるため、フォルダを割り付けられたプロジェクタのＣＰＵ４１は、そのフォルダ内のファイルを自動的に順次投影することが可能となる。
【０１３８】
また、メインプロジェクタのＣＰＵ４１は、赤外線制御部４８を介してリモコン２５から切替指示が入力された場合には、次の画像データをスクリーン１８に投射すると共に、他の各サブプロジェクタに対して次の画像データをスクリーン１８に投射するように指示する送り信号を送信して、次の画像データをスクリーン１８に投射させる（Ｓ１７）。
これにより、ユーザはリモコン２５を操作して、メインプロジェクタに対して次の画像データをスクリーン１８に投射するように指示することによって、メインプロジェクタと各サブプロジェクタのスクリーン１８に投射する次の画像データの切り替えを同期させて行うことが可能となる。
【０１３９】
また、各プロジェクタ１１〜１４のいずれかにＵＳＢメモリ２１が装着された後、更にサブプロジェクタのいずれかにＵＳＢメモリ２１が装着された場合には、このＵＳＢメモリ２１が装着されたサブプロジェクタは、自プロジェクタを新たなメインプロジェクタに設定する。そして、この新たなメインプロジェクタのＣＰＵ４１は、他のプロジェクタに対してサブプロジェクタに設定するように指示するサブ設定通知を送信する（Ｓ６１１〜Ｓ６１３）。また、このサブ設定通知を受信した各サブプロジェクタのＣＰＵ４１は、自プロジェクタをサブプロジェクタに設定する（Ｓ６１４：ＹＥＳ〜Ｓ６１５：ＮＯ〜Ｓ６１６）。また、このサブ設定通知を受信したメインプロジェクタのＣＰＵ４１は、ＲＡＭ４２に未投影の投影可能なファイルを含むフォルダやファイル等を記憶している場合には、サブプロジェクタの設定を拒否する拒否通知を自プロジェクタを識別するプロジェクタ識別ＩＤを付して送信する（Ｓ６１４：ＹＥＳ〜Ｓ６１５：ＹＥＳ〜Ｓ６１７：ＹＥＳ〜Ｓ６１８）。一方、メインプロジェクタのＣＰＵ４１は、ＲＡＭ４２に未投影の投影可能なファイルを含むフォルダやファイル等を記憶していない場合には、自プロジェクタをサブプロジェクタに設定する（Ｓ６１４：ＹＥＳ〜Ｓ６１５：ＹＥＳ〜Ｓ６１７ＮＯ〜Ｓ６１６）。
【０１４０】
これにより、投影可能なファイルを含むフォルダやファイル等を記憶するＵＳＢメモリ２１を装着されたメインプロジェクタが画像データをスクリーン１８に投射中に、他のサブプロジェクタに投影可能なファイルを含むフォルダやファイル等を記憶するＵＳＢメモリ２１を装着した場合には、ユーザは各ＵＳＢメモリ２１を装着したプロジェクタが、それぞれメインプロジェクタに設定されていることを容易に識別することが可能となる。
【０１４１】
また、投影可能なファイルを含むフォルダやファイル等を記憶するＵＳＢメモリ２１を装着されたメインプロジェクタが、ＲＡＭ４２に記憶する投影可能なファイルを含むフォルダやファイル等を全てスクリーン１８に投射した後に、他のサブプロジェクタに投影可能なファイルを含むフォルダやファイル等を記憶するＵＳＢメモリ２１を装着した場合には、ユーザは後からＵＳＢメモリ２１を装着したプロジェクタだけが、メインプロジェクタに設定されていることを容易に識別することが可能となる。
【０１４２】
また、後からＵＳＢメモリ２１を装着されたメインプロジェクタのＣＰＵ４１は、サブプロジェクタの設定を拒否する拒否通知とプロジェクタ識別ＩＤとを受信した場合には、このプロジェクタ識別ＩＤのプロジェクタを除いた他の各プロジェクタと自プロジェクタとに装着されたＵＳＢメモリ２１に記憶される投影可能なファイルを含むフォルダやファイル等を割り付ける（Ｓ６１９）。
これにより、各プロジェクタ１１〜１４のうちの拒否通知を通知したメインプロジェクタを除いた各プロジェクタに、後から装着されたＵＳＢメモリ２１に記憶される投影可能なファイルを含むフォルダやファイル等を自動的に割り付けることが可能となり、ユーザが設定する手間を省くことが可能となる。
【０１４３】
また、このプロジェクタ識別ＩＤのプロジェクタを除いた他の各プロジェクタと自プロジェクタのＣＰＵ４１は、割り付けられたフォルダやファイル等をＲＡＭ４２に既に記憶している投影可能なファイルを含むフォルダやファイル等に追加して記憶する（Ｓ６１９）。
これにより、拒否通知を通知したメインプロジェクタを除いた各プロジェクタに記憶される投影可能なファイルを含むフォルダやファイル等を順に切り替えて連続投影することが可能となる。
【０１４４】
尚、本発明は前記実施例に限定されることはなく、本発明の要旨を逸脱しない範囲内で種々の改良、変形が可能であることは勿論である。例えば、以下のようにしてもよい。
【０１４５】
（Ａ）上記ステップ６１９において、図１４に示すように、後からＵＳＢメモリ６１を装着されたプロジェクタ１２のＣＰＵ４１は、各プロジェクタ１３、１４をサブプロジェクタとして選択後、投影可能なファイルを含むフォルダをＲＡＭ４２に記憶していない各プロジェクタ１３、１４だけに、ＵＳＢメモリ６１に記憶されている投影可能な各ファイル３１１〜３２０を割り付けるようにしてもよい。ここで、図１４は後からＵＳＢメモリ６１を装着されたプロジェクタ１２のＣＰＵ４１が、この装着されたＵＳＢメモリ６１に記憶される投影可能な各ファイルを割り付けた一例を示す図である。
【０１４６】
これにより、投影可能なファイルと、ファイルを含むフォルダとを異なるプロジェクタに割り付けることが可能となり、フォルダを割り付けられたプロジェクタのＣＰＵ４１は、そのフォルダ内のファイルを自動的に順次投影することが可能となる。
【０１４７】
（Ｂ）また、図１５に示すように、メインプロジェクタのＣＰＵ４１は、上記ステップ１１７の「ファイル割り付け処理」のサブ処理において、ＵＳＢ２１に記憶されている投影可能なファイルを、各ファイルに付されている拡張子別に自プロジェクタ及び他の各サブプロジェクタに割り付けるようにしてもよい。ここで、図１５は「ファイル割り付け処理」によって割り付けられた各プロジェクタが格納する画像データの一例を示す図である。
【０１４８】
例えば、図１５に示すように、メインプロジェクタ１１のＣＰＵ４１は、自プロジェクタに拡張子「．ｂｍｐ」の各ファイル４１１〜４１６を割り付け、サブプロジェクタ１２に拡張子「．ｊｐｇ」の各ファイル５１１〜５１４を割り付け、更に、サブプロジェクタ１３に拡張子「．ｄｏｃ」の各ファイル６１１〜６１４を割り付ける。尚、メインプロジェクタ１１のＣＰＵ４１は、サブプロジェクタ１４には、他の拡張子が付された投影可能なファイルがＵＳＢメモリ２１に記憶されていないため、投影可能なファイルを割り付けない。
【０１４９】
これにより、メインプロジェクタ１１のＣＰＵ４１は、ＵＳＢ２１に記憶されている投影可能なファイルを、各ファイルに付されている拡張子別に自プロジェクタ及び他の各サブプロジェクタに割り付けるため、割り付け処理が簡単になり、割り付け処理の迅速化を図ることが可能となる。また、ＵＳＢ２１に記憶されている投影可能なファイルの画像データを風景画、表やグラフ、テキスト情報等に区分けして投影することが可能となり、更に見やすい映像を提供することが可能となる。
【０１５０】
（Ｃ）また、メインプロジェクタのＣＰＵ４１は、上記ステップ１１７の「ファイル割り付け処理」のサブ処理において、ＵＳＢ２１に記憶されている投影可能なファイルを、各ファイルに付された更新日時情報（例えば、年月日、曜日、時間帯などである。）に基づいて、自プロジェクタ及び各サブプロジェクタに割り付けるようにしてもよい。
【０１５１】
これにより、メインプロジェクタのＣＰＵ４１は、ＵＳＢ２１に記憶されている投影可能なファイルを、各ファイルに付された更新日時情報に基づいて割り付けるため、割り付け処理が簡単になり、割り付け処理の迅速化を図ることが可能となる。また、ＵＳＢ２１に記憶されている投影可能なファイルを更新日時順に並べて表示することが可能となり、時間的に変化する画像等を同期させてスクリーン１８に投影することが可能となる。
【０１５２】
（Ｄ）また、各プロジェクタ１１〜１４のＣＰＵ４１は、上記ステップ６１７及びステップ６１８に替えて、上記ステップ６１６の処理を実行するようにしてもよい。これにより、最後にＵＳＢメモリ２１が装着されたプロジェクタを優先的にメインプロジェクタに設定するため、ユーザは、メインプロジェクタを容易に識別することが可能となる。また、各ＵＳＢメモリ２１に記憶される投影可能なファイルを含むフォルダやファイル等を効率的に各プロジェクタ１１〜１４に割り付けることが可能となる。
【０１５３】
（Ｅ）また、各プロジェクタ１１〜１４のＣＰＵ４１は、メインプロジェクタフラグがＯＮの場合、即ち、メインプロジェクタに設定されている場合には（Ｓ６１５：ＹＥＳ）、ＣＰＵ４１は、上記ステップ６１７の処理を実行せず、上記ステップ６１８の処理に移行するようにしてもよい。これにより、ユーザは、メインプロジェクタを更に容易に識別することが可能となる。
【図面の簡単な説明】
【０１５４】
【図１】本実施例に係るプロジェクタシステムの概略構成を示す図である。
【図２】プロジェクタの要部の回路構成を示す回路ブロック図である。
【図３】各プロジェクタのうちのいずれかにＵＳＢメモリが装着された場合に、各プロジェクタのＣＰＵが、それぞれ割り付けられた画像データをスクリーンに投影する「複数画像投影処理１」を示すメインフローチャートである。
【図４】図３の「割り付け処理」のサブ処理を示すサブフローチャートである。
【図５】図４の「ファイル割り付け処理」のサブ処理を示すサブフローチャートである。
【図６】図４の「フォルダ割り付け処理１」のサブ処理を示すサブフローチャートである。
【図７】図４の「フォルダ割り付け処理２」のサブ処理を示すサブフローチャートである。
【図８】「ファイル割り付け処理」によって割り付けられた各プロジェクタが格納する画像データの一例を示す図である。
【図９】「フォルダ割り付け処理１」によって割り付けられた各プロジェクタが格納する画像データの一例を示す図である。
【図１０】「フォルダ割り付け処理２」によって割り付けられた各プロジェクタが格納する画像データの一例を示す図である。
【図１１】図３の「投影処理」のサブ処理を示すサブフローチャートである。
【図１２】各プロジェクタのいずれかにＵＳＢメモリが装着された後、更にサブプロジェクタのいずれかにＵＳＢメモリが装着された場合に、各プロジェクタのＣＰＵが、それぞれ割り付けられた画像データをスクリーンに投影する「複数画像投影処理２」を示すメインフローチャートである。
【図１３】プロジェクタにＵＳＢメモリが装着された後に、更に、他のプロジェクタにＵＳＢメモリが装着された場合に実行される「ファイル割り付け処理」の一例を示す図である。
【図１４】他の実施例において、後からＵＳＢメモリを装着されたプロジェクタのＣＰＵが、この装着されたＵＳＢメモリに記憶される投影可能な各ファイルを割り付けた一例を示す図である。
【図１５】他の実施例において、「ファイル割り付け処理」によって割り付けられた各プロジェクタが格納する画像データの一例を示す図である。
【符号の説明】
【０１５５】
１              プロジェクタシステム
１１〜１４      プロジェクタ
１８            スクリーン
２１、６１      ＵＳＢメモリ
２５            リモコン
４１            ＣＰＵ
４２            ＲＡＭ
４３            不揮発性メモリ
４４            通信インターフェース
４６            読取部
１１１〜１２６、３１１〜３２０                      ファイル
４１１〜４１６、５１１〜５１４、６１１〜６１４      ファイル
２０１〜２０３、２１１〜２１４、２２１、２２２      フォルダ
【図１】
2008310247.tif 000003
【図２】
2008310247.tif 000004
【図３】
2008310247.tif 000005
【図４】
2008310247.tif 000006
【図５】
2008310247.tif 000007
【図６】
2008310247.tif 000008
【図７】
2008310247.tif 000009
【図８】
2008310247.tif 000010
【図９】
2008310247.tif 000011
【図１０】
2008310247.tif 000012
【図１１】
2008310247.tif 000013
【図１２】
2008310247.tif 000014
【図１３】
2008310247.tif 000015
【図１４】
2008310247.tif 000016
【図１５】
2008310247.tif 000017